(57)【特許請求の範囲】
【請求項１】
遊技を統括的に制御し、他の制御装置に対して制御指令信号を送出する遊技制御装置と、
遊技球を排出する排出機構に対して排出指令信号を送出する排出制御装置と、
供給された交流電源を直流電源に変換する整流回路と、一定の電圧を出力する定電圧回路と、直流電源のリプル成分を除去する平滑回路と、を有する電源供給装置と、を備えた遊技機において、
前記平滑回路は、前記定電圧回路の前段に設けられる第１平滑回路と、前記定電圧回路の後段に設けられる第２平滑回路と、からなり、
前記電源供給装置は、
前記第１平滑回路により平滑された電源電圧を監視し、該電源電圧の変化を検出すると前記遊技制御装置及び前記排出制御装置の双方に停電検出信号を出力して動作を停止させる電圧監視手段と、
前記整流回路の後段に設けられ、前記定電圧回路への電流を抑制する電流抑制手段と、を備え、
前記電流抑制手段は、
前記第１平滑回路と前記整流回路との間に設けられる電流制限手段と、
電圧降下が一定である素子により構成され、前記電流制限手段を短絡する短絡手段と、を有し、
前記第１の平滑回路に電源電圧低下時に供給される電源を蓄えるとともに、前記第２の平滑回路の出力が前記短絡手段の駆動のために供給され、
当該遊技機に電源が供給されると、前記整流回路からの直流電源が前記電流制限手段を介して前記定電圧回路に入力され、
前記直流電源により、前記第１平滑回路が充電された後に前記第２平滑回路が充電され、前記定電圧回路の出力電圧が前記短絡手段の動作電圧を超えた場合に、前記短絡手段を動作させて、前記電流制限手段を非動作状態とすることを特徴とする遊技機。
【請求項２】
遊技を統括的に制御し、他の制御装置に対して制御指令信号を送出する遊技制御装置と、
遊技球を排出する排出機構に対して排出指令信号を送出する排出制御装置と、
供給された交流電源を直流電源に変換するブリッジダイオードと、一定の電圧を出力する定電圧レギュレータと、直流電源のリプル成分を除去する電解コンデンサと、を有する電源供給装置と、を備えた遊技機において、
前記電解コンデンサは、前記定電圧レギュレータの前段に設けられる第１電解コンデンサと、前記定電圧レギュレータの後段に設けられる第２電解コンデンサと、からなり、
前記電源供給装置は、
前記第１電解コンデンサにより平滑された電源電圧を監視し、該電源電圧の変化を検出すると前記遊技制御装置及び前記排出制御装置の双方に停電検出信号を出力して動作を停止させる電圧検出回路と、
前記ブリッジダイオードの後段に設けられ、前記定電圧レギュレータへの電流を抑制する電流抑制手段と、を備え、
前記電流抑制手段は、
前記第１電解コンデンサと前記ブリッジダイオードとの間に設けられる電流制限抵抗と、
電圧降下が一定である素子であり、所定条件の成立により前記電流制限抵抗を短絡するリレーと、を有し、
前記第１の電解コンデンサに電源電圧低下時に供給される電源を蓄えるとともに、前記第２の電解コンデンサの一端が前記リレーのコイルに接続され、
当該遊技機に電源が供給されると、前記ブリッジダイオードからの直流電源が前記電流制限抵抗を介して前記定電圧レギュレータに入力され、
前記リレーにより前記電流制限抵抗を短絡する所定条件は、前記直流電源により、前記第１電解コンデンサが充電された後に前記第２電解コンデンサが充電され、前記定電圧レギュレータの出力電圧が前記リレーの動作電圧を超えた場合であることを特徴とする遊技機。
【発明の詳細な説明】
【０００１】
【発明が属する技術分野】
本発明は停電検出回路を有する遊技機に関し、特にその電源装置の改良に関する。
【０００２】
【従来の技術】
パチンコ機やパチスロ機などの遊技機は、交流２４Ｖの電源が供給され、この交流２４Ｖの電源をブリッジダイオードにて構成される整流回路で直流に整流して、平滑回路で平滑して、定電圧回路で一定の電圧を出力する電源供給装置を有していた。この電源供給装置から出力される電源にリプル成分が多く含まれていると、電源供給装置から電源が供給される遊技制御装置等が誤動作するおそれがあるので、平滑回路には大容量の電解コンデンサを使用してリプル成分を十分に除去するようにしていた。
【０００３】
【発明が解決しようとする課題】
遊技機の電源供給装置では、平滑回路に大容量の電解コンデンサを使用しているので、電源投入時の電解コンデンサの充電の初期には大きな突入電流が流れ、整流回路の定格電流を超過してダイオードを破損してしまうことがあった。この突入電流を防止するためにサーミスタ、サイリスタ等の素子を整流回路と平滑回路との間の電源ラインに挿入して突入電流を防止することが提案されている。
【０００４】
しかし、遊技機は突然の電源遮断時によって遊技者に不利益を及ぼさないように、大当たり状態、確率変動状態、未排出球数等の現在の遊技状態を電源遮断時にも記憶保持（バックアップ）するように構成されている。このバックアップは、電源供給装置に設けられている停電検出回路（電圧監視手段）が電源電圧の低下を検出すると停電検出信号を出力し、制御装置（遊技制御装置、排出制御装置等）の動作を停止して、現在の遊技状態のバックアップを開始する。この電源電圧の低下を確実に検出するためには、整流、平滑後の電圧の変動が大きくてはならない。しかし、前述したサーミスタやサイリスタを突入電流防止に使用すると、これらの素子の特性のバラつきにより、電流を流した際の降下電圧が一定とならず、確実に停電を検出することができない問題点があった。
【０００５】
本発明は電源投入時の突入電流を防止するとともに、電源電圧の監視により停電を確実に検出することができる遊技機を提供することを目的とする。
【０００６】
【課題を解決するための手段】
第１の発明は、遊技を統括的に制御し、他の制御装置に対して制御指令信号を送出する遊技制御装置と、遊技球を排出する排出機構に対して排出指令信号を送出する排出制御装置と、供給された交流電源を直流電源に変換する整流回路と、一定の電圧を出力する定電圧回路と、直流電源のリプル成分を除去する平滑回路と、を有する電源供給装置と、を備えた遊技機において、前記平滑回路は、前記定電圧回路の前段に設けられる第１平滑回路と、前記定電圧回路の後段に設けられる第２平滑回路と、からなり、前記電源供給装置は、前記第１平滑回路により平滑された電源電圧を監視し、該電源電圧の変化を検出すると前記遊技制御装置及び前記排出制御装置の双方に停電検出信号を出力して動作を停止させる電圧監視手段と、前記整流回路の後段に設けられ、前記定電圧回路への電流を抑制する電流抑制手段と、を備え、前記電流抑制手段は、前記第１平滑回路と前記整流回路との間に設けられる電流制限手段と、電圧降下が一定である素子により構成され、前記電流制限手段を短絡する短絡手段と、を有し、前記第１の平滑回路に電源電圧低下時に供給される電源を蓄えるとともに、前記第２の平滑回路の出力が前記短絡手段の駆動のために供給され、当該遊技機に電源が供給されると、前記整流回路からの直流電源が前記電流制限手段を介して前記定電圧回路に入力され、前記直流電源により、前記第１平滑回路が充電された後に前記第２平滑回路が充電され、前記定電圧回路の出力電圧が前記短絡手段の動作電圧を超えた場合に、前記短絡手段を動作させて、前記電流制限手段を非動作状態とすることを特徴とする遊技機。
【００１０】
第２の発明は、遊技を統括的に制御し、他の制御装置に対して制御指令信号を送出する遊技制御装置と、遊技球を排出する排出機構に対して排出指令信号を送出する排出制御装置と、供給された交流電源を直流電源に変換するブリッジダイオードと、一定の電圧を出力する定電圧レギュレータと、直流電源のリプル成分を除去する電解コンデンサと、を有する電源供給装置と、を備えた遊技機において、前記電解コンデンサは、前記定電圧レギュレータの前段に設けられる第１電解コンデンサと、前記定電圧レギュレータの後段に設けられる第２電解コンデンサと、からなり、前記電源供給装置は、前記第１電解コンデンサにより平滑された電源電圧を監視し、該電源電圧の変化を検出すると前記遊技制御装置及び前記排出制御装置の双方に停電検出信号を出力して動作を停止させる電圧検出回路と、前記ブリッジダイオードの後段に設けられ、前記定電圧レギュレータへの電流を抑制する電流抑制手段と、を備え、前記電流抑制手段は、前記第１電解コンデンサと前記ブリッジダイオードとの間に設けられる電流制限抵抗と、電圧降下が一定である素子であり、所定条件の成立により前記電流制限抵抗を短絡するリレーと、を有し、前記第１の電解コンデンサに電源電圧低下時に供給される電源を蓄えるとともに、前記第２の電解コンデンサの一端が前記リレーのコイルに接続され、当該遊技機に電源が供給されると、前記ブリッジダイオードからの直流電源が前記電流制限抵抗を介して前記定電圧レギュレータに入力され、前記リレーにより前記電流制限抵抗を短絡する所定条件は、前記直流電源により、前記第１電解コンデンサが充電された後に前記第２電解コンデンサが充電され、前記定電圧レギュレータの出力電圧が前記リレーの動作電圧を超えた場合であることを特徴とする遊技機。
【００１２】
【発明の作用および効果】
第１の発明では、整流回路と平滑回路と定電圧回路とを有する電源供給装置と、停電検出信号を発生する電圧監視手段とを設け、電流抑制手段は、定電圧回路の後段の平滑回路の出力電圧が所定の電圧に到達すると電流抑制手段の動作を停止するので、前段の平滑回路が十分に充電された後、後段の平滑回路が充電されてから（すなわち、前段の平滑回路が十分に充電されてから少し遅れて）電流抑制手段の動作が停止することから、電流抑制手段を遅延して動作させるための特別な構成（遅延回路、遅延型リレー等）の必要がなく、部品価格を低減できると共に、電流抑制手段が簡単な構造となるので信頼性を向上させることができる。  加えて、停電検出精度に影響を与えることなく、電源投入時の突入電流を防止でき、過電流により整流回路を破損することがない。
【００１５】
また、電流抑制手段を電流制限手段と電流制限手段を短絡する短絡手段にて構成し、定電圧回路の出力が所定の電圧に到達すると短絡手段を動作させて電流制限手段を短絡することにより、電流制限手段の動作を停止するので、電流抑制手段を簡単な構成とすることができる。
【００１６】
また、短絡手段は電圧降下が一定である素子により構成したので、短絡手段を構成する素子の特性のバラつきにより、素子を選別して使用する必要がなく、短絡手段の端子間の電位差のバラつきが小さくなり、停電検出精度を向上することができる。
また、遊技制御装置と排出制御装置との双方に停電検出信号を伝達するので、遊技制御装置と排出制御装置とのメモリをバックアップして停止することから、遊技状態の保存や、正確な球の排出等を実現することができる。
【００１７】
第２の発明では、ブリッジダイオードと電解コンデンサと定電圧レギュレータとを有する電源供給装置と、停電検出信号を発生する電圧検出回路とを設け、電流抑制手段は、定電圧レギュレータの後段の電解コンデンサの出力電圧が所定の電圧に到達すると電流抑制手段の動作を停止するので、前段の電解コンデンサが十分に充電された後、後段の電解コンデンサが充電されてから（すなわち、前段の電解コンデンサが十分に充電されてから少し遅れて）電流抑制手段の動作が停止することから、電流抑制手段を遅延して動作させるための特別な構成（遅延回路、遅延型リレー等）の必要がなく、部品価格を低減できると共に、電流抑制手段が簡単な構造となるので信頼性を向上させることができる。加えて、停電検出精度に影響を与えることなく、電源投入時の突入電流を防止でき、過電流によりブリッジダイオードを破損することがない。
また、リレーは電圧降下が一定である素子により構成したので、リレーを構成する素子の特性のバラつきにより、素子を選別して使用する必要がなく、リレーの端子間の電位差のバラつきが小さくなり、停電検出精度を向上することができる。
また、遊技制御装置と排出制御装置との双方に停電検出信号を伝達するので、遊技制御装置と排出制御装置とのメモリをバックアップして停止することから、遊技状態の保存や、正確な球の排出等を実現することができる。
【００１８】
【発明の実施の形態】
次に、本発明の実施の形態について図面を参照して説明する。
【００１９】
図１は、本発明の実施の形態の遊技機の全体の構成を示す正面図である。
【００２０】
図１に示す遊技機（パチンコ遊技機）１はカード球貸ユニット２を併設したＣＲ機である。遊技機１の前面枠３は本体枠（外枠）４にヒンジ５を介して開閉回動可能に組み付けられ、遊技盤６は前面枠３の裏面に取り付けられた収納フレームに収装される。
【００２１】
遊技盤６の表面には、変動表示装置８、大入賞口を備えた変動入賞装置１０、各入賞口１１〜１５、始動口１６、普通図柄表示器７、普通変動入賞装置９が配設された遊技領域が形成される。前面枠３には、遊技盤６の前面を覆うカバーガラス１８が取り付けられている。
【００２２】
普通図柄表示器７は、普通図柄始動ゲート（図示略）へ遊技球の入賞があると、普通図柄（例えば一つの数字からなる図柄）の変動表示を始める。普通図柄始動ゲートへの入賞が所定のタイミングでなされたとき（具体的には、入賞検出時の普通図柄乱数カウンタ値が当たり値であるとき）には、普通図柄に関する当たり状態となり、普通図柄が当たり図柄（当たり番号）で停止する。このとき、始動口１６の手前に設けられた普通変動入賞装置９が所定の時間（例えば０．５秒）だけ大きく開き、遊技球の始動口１６への入賞可能性が高められる。
【００２３】
この普通図柄始動ゲートへの遊技球の通過は、普通図柄始動ゲートセンサ５３で検知される。この遊技球の通過タイミング（具体的には、遊技制御装置１００内に備えられた普通図柄乱数カウンタの通過検出時点での値）は、普通図柄入賞記憶として、遊技制御装置１００内の所定の記憶領域（普通図柄乱数記憶領域）に、最大で連続した４回分を限度に記憶される。この普通図柄入賞記憶の記憶数は、変動入賞装置１０の右側に設けられた４つのＬＥＤからなる記憶状態表示器１９に表示される。遊技制御装置１００は、普通図柄入賞記憶に基づいて、普通図柄に関する当たりの抽選を行う。
【００２４】
前面枠３の下部の開閉パネル２０には球を打球発射装置に供給する上皿２１が、固定パネル２２には下皿２３及び打球発射装置の操作部２４等が配設される。
【００２５】
カード球貸ユニット２には、前面のカード挿入部２５に挿入されたカード（プリペイドカード等）のデータの読込、書込等を行うカードリーダライタと球貸制御装置が内蔵され、カード球貸ユニット用の操作パネル２６は遊技機１の上皿２１の外面に形成される。
【００２６】
カード球貸ユニット用の操作パネル２６には、球貸しを指令する球貸しスイッチ２８と、カードの返却を指令するカード返却スイッチ３０、カードの残高を表示するカード残高表示部等が設けられている。
【００２７】
カバーガラス１８の枠の上部には、点灯により球の排出の異常等を報知する第１報知ランプ３１、第２報知ランプ３２が設けらていれる。
【００２８】
図２は、本発明の実施の形態の遊技機の全体の構成を示す背面図である。
【００２９】
遊技盤６の裏面側には、大入賞口、各入賞口１１〜１５、始動口１６に入賞した入賞球を案内する入賞球集合カバー（図示せず）、遊技を統括的に制御する遊技制御装置１００、各制御装置（遊技制御装置１００、排出制御装置２００、装飾制御装置３００、表示制御装置３５０、音制御装置４００、発射制御装置５００等）に供給する所定の電圧を発生する電源供給装置２５０、遊技制御装置１００からの装飾制御指令信号により遊技盤６と前面枠３に設けられた装飾用のランプの点灯／消灯を制御する装飾制御装置３００、変動表示装置８等を制御する表示制御装置３５０、スピーカ９５からの音響出力を制御する音制御装置４００、遊技盤用外部端子４１等が取り付けらている。
【００３０】
前面枠３の収納フレームの裏面側には、裏機構盤３５が取り付けられている。この裏機構盤３５の中央部には、遊技盤６の裏面側の各制御装置（遊技制御装置１００、電源供給装置２５０、装飾制御装置３００、表示制御装置３５０、音制御装置４００等）を点検するための開口窓部が設けられている。
【００３１】
裏機構盤３５の上部には、遊技機１の外部（遊技店の島設備）から２４ボルトの交流電源を取り入れて電源供給装置２５０へ中継するとともに、遊技店の管理装置との間の外部信号線を接続する枠用外部情報出力部（外部ターミナル）４２、遊技球を貯留する球貯留タンク３６、球貯留タンク３６の球を半端球検出センサ５８を備えた樋ユニット部（半端センサユニット）３８に導く誘導樋３７が取り付けられている。誘導樋３７及び樋ユニット部３８には２条の流路が形成されている。
【００３２】
裏機構盤３５の開口窓部の右側には、樋ユニット部３８の球を遊技機１の前面側の受皿に払い出す排出装置（排出ユニット６００、流路切換ユニット７００）が取り付けられている。
【００３３】
裏機構盤３５の下部には、排出ユニット６００を制御する排出制御装置２００、打球発射装置５５０を制御する発射制御装置５００、カード球貸ユニット用中継基板４３等が取り付けられている。
【００３４】
カード球貸ユニット２はプリペイドカードにより遊技球を貸し出す。貸球の排出は、カード球貸ユニット２からカード球貸ユニット用中継基板４３を経由して入力された貸球制御指令信号により、排出制御装置２００により制御された球排出装置（排出ユニット６００、流路切換ユニット７００）によりなされる。
【００３５】
打球発射装置５５０より遊技領域に発射された球が各入賞口１１〜１５、大入賞口に入賞すると、遊技制御装置１００から賞球制御指令信号が排出制御装置２００に送られ、排出制御装置２００により排出ユニット６００が駆動され、排出装置から所定数の賞球が排出される。
【００３６】
図３は、本発明の実施の形態の遊技機の全体の構成を示すブロック図である。
【００３７】
遊技制御装置１００、排出制御装置２００、装飾制御装置３００は、それぞれ、ＣＰＵ、ＲＡＭ、ＲＯＭ、入出力インターフェース（Ｉ／Ｆ）で構成されている。
【００３８】
遊技制御装置１００には各種検出装置からの検出信号が入力され、入出力インターフェースを介してＣＰＵに入力される。これらの各種検出装置には、一般入賞口１１〜１５への入賞を検出する一般入賞口センサ５１．１〜５１．Ｎ、始動口１６への入賞を検出する特別図柄始動センサ５２、球の検出によって普通変動入賞装置９の作動を決定するための普通図柄表示装置７の変動を開始させる普通図柄始動センサ５３、大入賞口への入賞を検出するカウントセンサ５４及び大入賞口継続センサ５５、遊技盤前面のガラス枠３の開放を検出する金属枠開放センサ５６、排出ユニット６００によって排出された遊技球が貯留過多となったことを検出するオーバーフローセンサ５７、排出ユニット６００への遊技球の供給が不十分であることを検出する半端球検出センサ５８、遊技機１に電波が照射されていることを検出する電波検知センサ（図示省略）などが含まれる。
【００３９】
なお、オーバーフローセンサ５７からの検出信号は、中継基板７１０を介して分岐され、排出制御装置２００へも入力される。
【００４０】
遊技制御装置１００のＣＰＵは、これらの検出信号に基づいて、ＲＯＭに記録されたプログラム（遊技プログラム）を実行し、遊技の統括的な制御（遊技制御）を行う。具体的には、遊技制御装置１００は排出制御装置２００、装飾制御装置３００にそれぞれ賞球制御指令信号、装飾制御指令信号を出力し、これらを制御する。なお、遊技制御装置１００から排出制御装置２００、装飾制御装置３００へのデータは単方向で通信され、排出制御装置２００、装飾制御装置３００から遊技制御装置１００へデータは送出されないようになっている。
【００４１】
遊技制御装置１００は、大入賞口ソレノイド１０Ａ、普通変動入賞口ソレノイド９Ａに制御信号を送信し、これらのソレノイドへの通電を制御することにより、特別変動入賞装置１０、普通変動入賞装置９の開閉を制御する。さらに、普通図柄表示装置７に制御信号を送信し、この表示を制御する。
【００４２】
また、遊技制御装置１００は、賞球排出が正確に行われているかを監視する。具体的には、排出制御装置２００へ賞球制御指令信号として送信した排出を指令した賞球数と、後述する賞球検出センサ７１３Ａ、７１３Ｂにより計数された実際の排出数が一致するかの監視及び賞球排出指令が送信されていないにも拘わらず賞球排出がなされていないかの監視を行う。賞球排出指令信号が送信されていないにも拘わらず、賞球排出がされている等の異常が認められたときは、異常対応処理を行う。例えば、枠用外部情報出力部４２から異常検出信号をホールコンピュータに出力し、装飾制御装置３００に装飾制御指令信号を送信して、賞球異常報知ＬＥＤ３１を点滅させて異常を報知する。あるいは、遊技制御の停止、打球発射の停止等により、遊技を強制的に中止させる。
【００４３】
排出制御装置２００には、排出された球を検出する排出センサからの検出信号が入力される。具体的には、排出ユニット６００から賞球として排出された球を検出する賞球検出センサ７１３Ａ、７１３Ｂの各検出信号と、排出ユニット６００から貸球として排出された球を検出する貸球検出センサ７１４Ａ、７１４Ｂの各検出信号とが入力される。そして、排出制御装置２００は、賞球制御指令信号に基づいて、排出ユニット６００からの遊技球排出および流路切換ユニット７００における流路切換を制御する。また排出制御装置２００には、遊技制御装置１００からの賞球制御指令信号とは別に、カードユニット２から貸球制御指令信号が入力される。排出制御装置２００は、賞球制御指令及び貸球制御指令信号に基づいて排出ユニット６００を制御し、排出センサ（賞球検出センサ７１３Ａ、７１３Ｂ、貸球検出センサ７１４Ａ、７１４Ｂ）の検出信号を用いて、賞球及び貸球の排出を行う。
【００４４】
なお、賞球検出センサ７１３Ａ、７１３Ｂの各検出信号は、中継基板７１０を介して遊技制御装置１００へも入力されている。
【００４５】
装飾制御装置３００には、遊技制御装置１００からのランプを点灯（点滅）させる指令信号である装飾制御指令信号が入力され、各種ランプを点灯駆動する。具体的には、遊技制御装置１００が遊技機１の異常を検出すると、異常報知ランプ３１を点灯させる。また、排出制御装置２００に賞球制御指令信号が送られ、賞球の排出が始まると、賞球排出ランプ３２を点灯させる。さらに、遊技機１が大当り状態となると、遊技に抑揚をつけるように、装飾ランプ４５．１〜４５．Ｎを点灯（点滅）させる。
【００４６】
電源供給装置２５０は、電源回路２５１、監視回路２５３、バックアップ電源回路２５６を有している。
【００４７】
遊技店の島設備から、遊技機１が外部ターミナル４２を介して受電した２４ボルトの交流電源は、電源供給装置２５０へ供給される。この２４ボルトの交流電源は電源回路２５１に導入される。
【００４８】
電源回路２５１は交流を直流に変換する整流回路と、出力電圧の変動を小さくする定電圧回路２６４と、リプル成分を消去する平滑回路２６２、２６５とを有し、遊技機に供給される交流２４Ｖの電源を、各制御装置１００、２００の動作に必要な直流電圧（１２Ｖ、１８Ｖ等）に変換して、各制御装置１００、２００に供給する。また、この平滑回路２６２、２６５は遊技機に供給される電源電圧が低下しても、少しの時間はＣＰＵに供給する電源を蓄えるように構成されている。
【００４９】
監視回路２５３は所定の基準電圧と電源回路の出力電圧（５Ｖ）を比較し、電源回路の電圧が低下すると、停電検出信号としての、ＣＰＵに対する割り込み信号を発生する。この割り込み信号はＮＭＩ（ノン・マスカブル・インタラプト）信号として遊技制御回路１００のＣＰＵと排出制御回路２００のＣＰＵとに加えられ、両ＣＰＵは、ＮＭＩ信号に基づき、所定の停電検出処理（現在の遊技状態のＲＡＭへのバックアップ）を実行して、ＣＰＵの動作を停止する。
【００５０】
バックアップ電源回路２５６は、電源回路２５１からの５Ｖの出力が常時印加されている大容量素子にて構成され、電源回路からの出力が消滅しても、ＲＡＭに電源を供給し続けることにより、ＲＡＭの記憶内容が消去しないように保持する。
【００５１】
図４は、本発明の実施の形態の電源供給装置２５０の主要部の構成を示す回路図である。
【００５２】
遊技店の島設備から、遊技機１が外部ターミナル４２を介して受電した２４ボルトの交流電源は、電源供給装置２５０の入力端子２６０に供給される。電源供給装置２５０は電気的遊技装置（変動表示装置８、変動入賞装置１０、打球発射装置５５０、排出ユニット６００、流路切換ユニット７００等）、制御装置（遊技制御装置１００、排出制御装置２００、装飾制御装置３００、表示制御装置３５０、音制御装置４００、発射制御装置５００等）に供給する所定の電圧を生成する。
【００５３】
入力端子から供給された２４ボルトの交流電源は、４個の整流用ダイオードから構成された整流回路としてのブリッジダイオード２６１により２４ボルトの直流に変換（整流）され、定電圧回路である定電圧レギュレータ２６４ａ、２６４ｂに加えられる。ブリッジダイオード２６１と定電圧レギュレータ２６４ａ、２６４ｂの間には大容量の電解コンデンサ２６２ａ、２６２ｂから構成される平滑回路が設けられており、ブリッジダイオード２６１から出力されたリプル成分を多く含んだ直流電源からリプル成分を除去する。またこの電解コンデンサ２６２ａ、２６２ｂは、供給電圧（ＡＣ２４Ｖ）の低下、電源供給装置の故障等により、ブリッジダイオード２６１からの出力電圧が低下しても、遊技制御装置１００等が必要なデータをバックアップするための僅かな時間、遊技制御装置１００等に供給する電源を蓄えている。また、電解コンデンサ２６２ａ、２６２ｂに並列して発振防止用のコンデンサ２６３ａ、２６３ｂが接続されている。
【００５４】
定電圧レギュレータ２６４ａ、２６４ｂは平滑された２４Ｖの電源を所定の電圧（１２Ｖ、１８Ｖ等）に変換する。定電圧レギュレータ２６４ａ、２６４ｂの出力側には、出力の安定化のための電解コンデンサ２６５ａ、２６５ｂが接続されており、定電圧レギュレータ２６４ａ、２６４ｂの出力電圧が多少変動しても、安定した電圧を出力できるように構成されている。
【００５５】
一方、定電圧レギュレータ２６４ａ、２６４ｂの入力は分岐され監視回路２５３にも供給される。この監視回路２５３は電源電圧の低下を検出して制御装置１００等に対して停電検出信号を送信して、バックアップ動作を開始させるものである。２つの抵抗２７１、２７２にて分圧された整流後の電源電圧は、電圧監視回路２７３にて、電圧監視回路２７３の内部で生成する基準電圧と比較され、この監視結果により所定の電圧より低くなったと判定されたなら、内部の出力トランジスタを閉じる。これによりプルアップ抵抗２７４により５ボルトが維持されていた出力はゼロボルトに低下する。この出力はリセット回路２７５に入力され、リセット回路２７５では制御装置１００等に停電処理を行わせるように停電検出信号（所定時間（例えば１５０ｍ秒）のパルス信号）を出力する。この停電検出信号はバッファ２７６を介して各制御装置に送出される。
【００５６】
ブリッジダイオード２６１と電解コンデンサ２６２ａ、２６２ｂの間の電源ライン上には、電流制限手段としての電流制限用の抵抗２６８が接続されており、この抵抗２６８に並列して動作時に抵抗２６８を短絡することができる、短絡手段としてのリレー２６９が接続されている。すなわち、抵抗２６８とリレー２６９とで電流抑制手段を構成し、リレー２６９が通常状態（非動作状態）で接点が開放していると抵抗２６８に電流が流れるので、ブリッジダイオード２６１から電解コンデンサ２６２ａ、２６２ｂに流れる電流は減少する。一方、リレー２６９が動作して接点を短絡すると抵抗２６８には電流が流れないので電流は制限されない。このリレー２６９の動作コイルの一端は定電圧レギュレータ２６４ａの出力側に接続されており、定電圧レギュレータ２６４ａの出力電圧がリレー２６９の動作電圧を超えると、リレー２６９が動作して電流制限抵抗２６８には電流が流れず、電流制限抵抗２６８が機能しないようになっている。
【００５７】
すなわち、電源投入時は定電圧レギュレータ２６４ａの出力電圧はゼロボルトなのでリレー２６９は動作しておらず、ブリッジダイオード２６１と電解コンデンサ２６２ａ、２６２ｂとの間の電源ラインに電流制限抵抗２６８が挿入された状態にある。電源投入と同時にブリッジダイオード２６１からは２４Ｖの電源が出力されてくるので、電解コンデンサ２６２ａ、２６２ｂの充電が始まるが、電流制限抵抗２６８が挿入されているので、電解コンデンサ２６２ａ、２６２ｂの充電のために流れる電流は低減され、電源投入時のピーク電流が少なくなる。電解コンデンサ２６２ａ、２６２ｂが充電され、このコンデンサの両端の電圧が上昇してくると、定電圧レギュレータ２６４ａ、２６４ｂの出力電圧も上昇してくるので、短絡手段であるリレー２６９が動作して、電流制限抵抗２６８が短絡され、電流制限抵抗２６８には電流が流れず、電流制限抵抗２６８が機能しない状態（非動作状態）となり、電圧降下が生じず、ブリッジダイオード２６１の出力はそのまま定電圧レギュレータ２６４ａ、２６４ｂに入力される。
【００５８】
このように、電源投入時は電源ラインに電流制限抵抗２６８を挿入し、電解コンデンサ２６２ａ、２６２ｂが十分に充電された後は電流制限抵抗２６８をリレー２６９により短絡するように構成したので、電源投入時の電解コンデンサ２６２ａ、２６２ｂの充電に伴う突入電流を防止することができるとともに、電流制限抵抗２６８の短絡に半導体素子より降下電圧のばらつきの少ないリレー２６９を用いたので、遊技機に必要不可欠な停電検出を確実にすることができる。もちろん、電流制限抵抗２６８の短絡にはリレーを用いなくても、降下電圧のばらつきの少ない素子であればよく、このような降下電圧のばらつきの少ない特性を有する素子であれば半導体素子でもよい。
【００５９】
また、短絡手段としてのリレー２６９の動作のための電源を定電圧レギュレータ２６４ａの出力側から取得した。よって、リレー２６９の動作用コイルには定電圧レギュレータ２６４ａの出力である一定の電圧が加わることから、リレー２６９に過電圧が加わることがなく、リレー２６９を破損することがない。さらに、定電圧レギュレータ２６４ａの出力側には電解コンデンサ２６５ａが接続されているので、定電圧レギュレータ２６４ａの出力電圧は入力電圧の上昇より遅れて（前段の電解コンデンサ２６２ａ、２６２ｂが十分に充電され、後段の電解コンデンサ２６５ａが充電されてから）上昇することから、特別（複雑）な構造を有する高価な遅延型のリレーを用いる必要がない。
【００６０】
今回開示した実施の形態は、全ての点で例示であって制限的なものではないと考えられるべきである。本発明の範囲は上記した説明ではなくて特許請求の範囲によって示され、特許請求の範囲と均等の意味及び内容の範囲での全ての変更が含まれることが意図される。
【図面の簡単な説明】
【図１】    本発明の実施の形態の遊技機全体の構成を示す正面図である。
【図２】    同じく遊技機全体の構成を示す背面図である。
【図３】    同じく遊技機全体の構成を示すブロック図である。
【図４】    同じく電源供給装置の構成を示す回路図である。
【符号の説明】
１        遊技機
２        カード球貸ユニット
３        前面枠
４        本体枠
５        ヒンジ
６        遊技盤
８        変動表示装置
３５        裏機構盤
１００        遊技制御装置
２００        排出制御装置
２５０        電源供給装置
２６０        入力端子
２６１        ブリッジダイオード
２６２ａ、ｂ  平滑（電解）コンデンサ
２６４ａ、ｂ  定電圧レギュレータ
２６５ａ、ｂ  安定化（電解）コンデンサ
２６６ａ、ｂ  コンデンサ
２６７        出力端子
２６８        抵抗
２６９        リレー
２７３        電圧監視回路
２７５        リセット回路
３００        装飾制御装置
３５０        表示制御装置
４００        音制御装置
５００        発射制御装置
５５０        打球発射装置
６００        排出ユニット
７００        流路切換ユニット
【図１】
0003993973.tif 000002
【図２】
0003993973.tif 000003
【図３】
0003993973.tif 000004
【図４】
0003993973.tif 000005